(57)【要約】【課題】画像を生々しくダイナミックに表現すること。【解決手段】液体（２）を含む容器（１）と、液体（２）の中で３次元的に回転しながら浮遊するサムネイル・クレードル（４）と、サムネイル・クレードル（４）に画像データを送信する送信器（１１又は１５）とから構成されている。サムネイル・クレードル（４）は２次元表示面を有している。画像データは２次元表示面に再生される。２次元表示面は容器（１）を通して可視的である。サムネイル・クレードル（４）は、泡沫（うたかた）のように消え現れるが、現れるときには生々しく生涯断面として現れる。３次元映像が２次元平面として現れる生涯断面は、時間軸に直交する断面として人に知覚される。このように、サムネイル・クレードル（４）は、サムネイルとしての物性とクレードルとしての物性を同時に表現する表現媒体としてニューコンセプトを創出している。【選択図】          図１
2005258357.tif 000002
【特許請求の範囲】
【請求項１】
液体を含む容器と、
前記液体の中で浮遊する複数のサムネイル・クレードルと、
画像データを表示するように前記複数のサムネイル・クレードルの各々を制御する制御部とを具え、
前記複数のサムネイル・クレードルの各々は２次元表示面を有し、前記画像データは前記２次元表示面に再生され、前記２次元表示面は前記容器を通して可視的である
画像表示装置。
【請求項２】
前記画像データは一連の時系列データである
請求項１の画像表示装置。
【請求項３】
前記制御部は、前記画像データを電力電波に変換して前記複数のサムネイル・クレードルのうちの特定のものに送信する
請求項１又は２に記載の画像表示装置。
【請求項４】
前記制御部は、前記画像データが前記容器の下方にある前記サムネイル・クレードルから前記容器の上方にある前記サムネイル・クレードルに順番に表示され、前記画像データが浮き上がるように表示されるように、前記複数のサムネイル・クレードルのうちの特定のものに順番に送信する
請求項３の画像表示装置。
【請求項５】
前記制御部は、
前記容器に設けられた固定電極と、
前記固定電極と前記サムネイル・クレードルの間を電気的に接続し、前記液体中で浮遊する信号電源線と
を具備する
請求項１乃至３のいずれかに記載の画像表示装置。
【請求項６】
前記制御部は、
前記容器に設けられたアンテナ電極と、
前記画像データを前記サムネイル・クレードルに送信するように、前記アンテナ電極を駆動する駆動部と
を具備する
請求項１乃至４のいずれかに記載の画像表示装置。
【請求項７】
前記画像データの全部又は一部分を投影する投影器を更に具備する
請求項１乃至６のいずれかに記載の画像表示装置。
【請求項８】
容器内で複数のサムネイル・クレードル浮遊させることと、
前記複数のサムネイル・クレードルの各々に個別の画像を表示すること
を具備する画像表示方法。
【請求項９】
前記表示することは、
前記容器の下方にある前記サムネイル・クレードルから前記容器の上方にある前記サムネイル・クレードルに順番に前記画像データを表示すること
を具備する請求項９に記載の画像表示方法。
【発明の詳細な説明】
【技術分野】
【０００１】
本発明は、画像表示装置、画像表示方法に関する。
【背景技術】
【０００２】
断片データが入力されているデータ保持断片は、ＩＣタグのように呼ばれて普及し始めている。ＩＣタグは、データを格納しているが、画像を表示しない。見読性があるデータ断片は、サムネイルとして知られている。サムネイルは、画像表示面の中で運動する物体であるかのうように表示される非物理的実体に同定されるクレードルとして表示される。こうして、遊び心を楽しませるよにサムネイルを表示し、インテリアとしても使用可能な表示装置が求められている。
【発明の開示】
【発明が解決しようとする課題】
【０００３】
本発明の課題は、データを生々しく、ダイナミックに表現する画像表示装置、画像表示方法を提供することにある。
本発明の他の課題は、履歴データをダイナミックに表現する画像表示装置、画像表示方法を提供することにある。
【課題を解決するための手段】
【０００４】
本発明の第１の観点では、画像表示装置は、液体を含む容器と、前記液体の中で浮遊する複数のサムネイル・クレードルと、画像データを表示するように前記複数のサムネイル・クレードルの各々を制御する制御部とを備えている。前記複数のサムネイル・クレードルの各々は２次元表示面を有し、前記画像データは前記２次元表示面に再生され、前記２次元表示面は前記容器を通して可視的である。
【０００５】
ここで、前記画像データは一連の時系列データであってもよい。前記制御部は、前記画像データを電力電波に変換して前記複数のサムネイル・クレードルのうちの特定のものに送信することが望ましく、前記制御部は、前記画像データが前記容器の下方にある前記サムネイル・クレードルから前記容器の上方にある前記サムネイル・クレードルに順番に表示され、前記画像データが浮き上がるように表示されるように、前記複数のサムネイル・クレードルのうちの特定のものに順番に送信することが特に望ましい。
【０００６】
また、前記制御部は、前記容器に設けられた固定電極と、前記固定電極と前記サムネイル・クレードルの間を電気的に接続し、前記液体中で浮遊する信号電源線とを具備してもよい。あるいは、前記制御部は、前記容器に設けられたアンテナ電極と、前記画像データを前記サムネイル・クレードルに送信するように、前記アンテナ電極を駆動する駆動部とを具備してもよい。
【０００７】
画像表示装置は、前記画像データの全部又は一部分を投影する投影器を更に具備してもよい。
【０００８】
本発明の他の観点では、画像表示方法は、容器内で複数のサムネイル・クレードル浮遊させることと、前記複数のサムネイル・クレードルの各々に個別の画像を表示することを具備する。
前記表示することは、前記容器の下方にある前記サムネイル・クレードルから前記容器の上方にある前記サムネイル・クレードルに順番に前記画像データを表示することであってもよい。
【０００９】
本発明による画像表示方法は、多数のサムネイル・クレードルを製作すること、容器の中の液体に多数の前記サムネイル・クレードルを自転可能に浮遊させること、多数のサムネイル・クレードルにそれぞれに個別画像を表示することとから構成されている。複数の個別画像が単一生涯の生涯断面であることに意義がある。容器に投影器を結合すること、投影器により単一生涯を投影することは既述の通りに有意義である。
【発明の効果】
【００１０】
本発明による画像表示装置、画像表示方法は、サムネイルとクレードルを融合することができる。
【発明を実施するための最良の形態】
【００１１】
以下に添付図面を参照して、本発明の画像表示装置について詳細に説明する。
図１は、本発明の第１実施形態による画像表示装置の構造を示す図である。図１を算用して、透明容器１の中に、電気伝導性があり粘性抵抗が大きい浮遊媒体液２が封入されている。浮遊媒体液２として、ジェル状物質、ゾル状物質が好適に例示される。透明容器１は、台３に固定されている。データ内容を表示する多数の表示断片（サムネイルであり、同時にクレードルであるサムネイル・クレードル）４は、浮遊媒体液２の中で浮遊する状態で透明容器１の中に封入されている。
【００１２】
各サムネイル・クレイドル４は個別に識別可能である。そのために、各サムネイル・クレイドル４の接続場所が特定されていても良いし、また各サムネイル・クレイドル４が固有の番号をもっていてもよい。
【００１３】
図１に示されるように、図１の電極１１に接続されているサムネイル・クレイドル４が浮遊媒体液２より大きな比重を持てば、電極１１から透明信号電源線１９により吊り下げられた状態で浮遊媒体液２で浮遊する。また、電極１１に接続された容器の下部に設けられた電極（図示せず）に接続されているとき、サムネイル・クレイドル４が浮遊媒体液２より小さい比重を持てば、下部電極から透明信号電源線１９により束縛されながら浮き上がる状態で浮遊媒体液２で浮遊する。透明容器１を振ることにより浮遊媒体液２に撹拌流が生起し、多数のサムネイル・クレイドル４は透明容器１の中で偶然的に分散する。各サムネイル・クレイドル４が同じ比重を持つ場合には、容器の可能から気泡を噴出することにより、各サムネイル・クレイドル４を浮遊媒体液２中に浮遊させることができる。
【００１４】
透明容器１は主として透明硬質の樹脂（例示：アクリル樹脂）で形成されているが、透明容器１の一部を柔軟環部位１’に形成することが好ましい。柔軟環部位１’を押圧して浮遊媒体液２の比重を僅かに大きくすることにより、サムネイル・クレイドル４の上昇・下降速度を変更することができる。
【００１５】
透明容器１の裏面側（内面側）の曲面には、透明電極５が層状に形成されている。透明容器１の上縁開口部位には、蓋構造６が差し込まれている。蓋構造６の天面部位は、円板７として形成されている。蓋構造６の下方部位は、差込み部位８として形成されている。差し込み部位８には、下端側で開放されている吸込み穴９が開けられている。吸込み穴９は、より下方側で直径がより大きく上向きに先細りである拡径形状面に形成されている。吸込み穴９の上端部位には、電極円板１１が差し込まれている。
【００１６】
台３は、燃料電池部１２と制御回路部１３と大容量の格納部１４とから形成されている。蓋構造６の天面側で画像投影器１６が蓋構造６に着脱可能に取り付けられている。
【００１７】
図２は、サムネイル・クレイドル４の詳細構造を示している。サムネイル・クレイドル４は、画像表示層１７と透明保護層１８と透明信号電源線１９と基準電位電極２１とから構成されている。透明信号電源線１９の屈折率は、浮遊媒体液２の屈折率に概ね等しく、透明信号電源線１９を見ることは困難である。透明信号電源線１９の固定端部は、画像表示層１７の画像形成マトリックス配線２２と接続されている。透明信号電源線１９の他端部は、電極１１又は下部電極に接続されている。基準電位電極２１は、浮遊媒体液２に対して露出していて、導電性の浮遊媒体液２を介して接地されている透明電極５に接続される。透明保護層１８は、画像表示層１７の発光体がマトリックス状に配置されている発光表示層（図示されず）と画像形成マトリックス配線２２とを浮遊媒体液２から絶縁し、保護している。
【００１８】
図３は、回路部を示している。燃料電池部１２は、燃料電池２４と、蓄電部２５とを備えている。制御回路部１３は、制御回路２６と、操作部２７とを備えている。操作部２７は、制御信号入力用のキー群として形成され、台３の表面側に配置されている。燃料電池部１２に内蔵されている格納部１４は、制御回路２６に双方向に接続されている。制御回路２６は、操作部２７からの操作信号２９に応答して格納部１４に蓄積されている画像の複数の集合のうち独立している一連続画像データ（例示：２時間映画）３１を格納部１４から取得する。制御回路２６は、一連画像データ３１に添付されている要約データ（例示：題名、一連画像データ３１のうちの要約画像データ）３２を電極１１と信号電源線１９を介してサムネイル・クレイドル４に個別に送信する。画像表示層１７は、要約データ３２を静止画像として又は時系列的画像として表示する。画像を表示するサムネイル・クレイドル４を選択することにより、画像は下方にあるサムネイル・クレイドル４から上方にあるサムネイル・クレイドル４に順番に表示される。こうして、あたかも、画像が気泡のごとく下から上に流れながら表示されることができる。反対に、上方から下方に画像が流れてもよいことは言うまでもない。
【００１９】
画像投影器１６は、液晶表示面３４と、発光源３５と、投射光拡大レンズ３６とから構成されている。制御回路２６は、一連画像データ３１の全部（要約データ３２は除かれてもよい）を時系列的に画像投影器１６に送信する。一連続画像データ３１は、台３４に時系列的に光散乱性映像として再生される。その光散乱性映像は、発光源３５により生成される投射光ビーム３７により室内天井面、その他のスクリーンに投影される。画像投影器１６を首振り自在に回路内蔵円板７に支持することにより、又は、反射ミラー（図示されず）を追加することにより、鉛直面にその映像を投影することができる。
【００２０】
図４は、本発明の第２実施形態による画像表示装置を示す図である。第２実施形態が第１実施形態と異なる点は、浮遊媒体液２は導電性である必要はないことである。また、透明電極５は、接地されておらず、アンテナとして使用される。この場合には、透明信号電源線１９も除かれ、サムネイル・クレイドル４に受信用アンテナ（図示されず）が内蔵される。サムネイル・クレイドル４は、それを特定するためのＩＤ番号を有している。ＩＤデータ番号３８は、サムネイル・クレイドル４に形成されているＲＯＭ回路に記録される。
【００２１】
図５を参照して、操作部２７の操作により、画像再生命令が入力されると、一連続画像データ３１を構成する多数の単位データのそれぞれの先頭にＩＤ番号データ３８が制御回路２６で添付され、駆動回路４０を介してアンテナ５からサムネイル・クレイドル４に送付される。ユーザーが操作部２７からＩＤデータ番号３８を制御回路２６に対して入力すれば、制御回路２６はＩＤデータ番号３８に対応する一連画像データ３１を格納部１４から自動的に取り出すことができ、その一連続画像データ３１は液晶表示面３４により再生的に投影され、且つ、そのＩＤデータ番号３８に対応する要約データ３２が自動的にサムネイル・クレイドル４に表示される。
【００２２】
ユーザーは、透明容器１を振ることにより、又は、浮遊媒体液２を暖めることにより、多数のサムネイル・クレイドル４のうちの１枚を乱数的に浮上させ、又は多数のサムネイル・クレイドル４のうちで希望する１枚を浮上させ、所望の画像をサムネイル・クレイドル４に表示させることができる。制御回路２６は、ＩＤデータ番号３８に対応する一連続画像データ３１を画像投影器１６に送信し、要約データ３２をサムネイル・クレイドル４に送信してもよい。
【００２３】
格納部１４に貯蔵される大量の画像データとして特に注目されるデータは、特定個人の生涯のうち印象的瞬間又は印象的時間帯に取得される画像データである。そのような人生のうちの断面記録が、サムネイル・クレイドル４の平面的表示面に再生される。サムネイル・クレイドル４とともに予測不可能的に運動する生涯断面映像又はクレードルは、揺りかごのようにゆらゆらと３次元的に揺れ、見る側に対して反転して映像が消え、記憶から消え記憶の中に蘇るかのように現れたり消えたりしながら再生され、サムネイル・クレイドル４はついには蓋構造６の吸込み穴９に吸い込まれて生涯断面は消え去る。このようなサムネイル・クレイドル４の空中浮揚感覚は、透明電極１９が見えない場合にその効果が倍加する。
【００２４】
アンテナ内蔵筐体１５のアンテナからＩＤ番号がそれぞれに添付された複数の要約データ３２を含む電力電波を多数のサムネイル・クレイドル４に同時に送信することにより、それぞれの要約データ３２を多数のサムネイル・クレイドル４に同時に表示することができる。多くの生涯断面が走馬燈のように現れては消えて行き、ユーザー又はその知人の来し方を同時的にユーザーに想起させる。透明容器１の中の浮遊媒体液２が形成する立体浮遊空間に浮遊する平面画像である２次元生涯断面は、次元が低減しているため、生涯の一瞬としてユーザーに知覚される。このような意味でサムネイル・クレードルは、浮遊生涯断面と呼ばれる。生涯断面は、時間軸に直交する平面で切断される断面として３次元空間映像であり、その３次元空間映像がサムネイル・クレードルと呼ばれる平面に投影される。
【００２５】
尚、容器内の浮遊媒体液は非導電性で、各サムネイル・クレードルが上部電極１１と下部電極との間に、信号電源線でゆったりと吊るされていてもよいことは容易に理解されよう。
また、画像データが格納部１４に格納される際に、各サムネイル・クレードルに表示された後、格納されるように制御部が制御してもよいことも明らかであろう。
【００２６】
所望の画像を泡のように容器内で浮遊させながら、浮上させて、遊び心をたのしませながら、画像を見ることが出来る。
【図面の簡単な説明】
【００２７】
【図１】図１は、本発明の第１実施形態による画像表示装示す投影図である。
【図２】図２は、サムネイル・クレードルを示す断面図である。
【図３】図３は、回路ブロック図である。
【図４】図４は、本発明の第２実施形態による画像表示装示す投影図である。
【図５】図５は、回路ブロック図である。
【符号の説明】
【００２８】
１…容器
２…液体
５…電極、アンテナ
４…サムネイル・クレードル
１１…電極
１６…投影器
１９…信号電源線
２８…格納部
【図１】
2005258357.tif 000003
【図２】
2005258357.tif 000004
【図３】
2005258357.tif 000005
【図４】
2005258357.tif 000006
【図５】
2005258357.tif 000007